(57)【要約】      （修正有）【課題】切断面のバリ取り及び研磨仕上げが不要となり、コストの低減が図れる収納キャビネット用把手を提供する。【解決手段】収納キャビネットの扉の上端部にその長手方向に沿って配置される把手本体１３ａと、該把手本体１３ａに形成され前記扉の背面部に固着具で固定される固定板部１３ｂとを有する収納キャビネット用把手１３であって、前記収納キャビネットの側板前端部と干渉する前記固定板部１３ｂの干渉部分が切断されており、前記把手本体１３ａの両端部にそれぞれ樹脂製の端部キャップ１５を取付け、該端部キャップ１５は、前記固定板部１３ｂの切断面を覆う覆い部１７を有している。【選択図】図３
2008029408.tif 000002
【特許請求の範囲】
【請求項１】
収納キャビネットの扉の上端部にその長手方向に沿って配置される把手本体と、該把手本体に形成され前記扉の背面部に固着具で固定される固定板部とを有する収納キャビネット用把手であって、前記収納キャビネットの側板前端部と干渉する前記固定板部の干渉部分が切断されており、前記把手本体の両端部にそれぞれ樹脂製の端部キャップを取付け、該端部キャップは、前記固定板部の切断面を覆う覆い部を有していることを特徴とする収納キャビネット用把手。
【発明の詳細な説明】
【技術分野】
【０００１】
本発明は、収納キャビネット用把手に係り、特に固定板部の切断面のバリ取り、研磨仕上げを不要にした収納キャビネット用把手に関するものである。
【背景技術】
【０００２】
システムキッチン等の収納キャビネットにおいては、キャビネット本体の前面に引き出しや開き扉などを配しており、これら前面の扉の上端部に横長の把手を設けることにより、意匠性や使い易さを向上させたものが提案されている（例えば、特許文献１参照。）。また、この種の把手（扉一体型把手ともいう）としては、図８に示すように扉１０ｂの上端部にその長手方向（同図の紙面垂直方向）に沿って配置される把手本体１３ａと、この把手本体１３ａの背面下縁部に形成され、扉１０ｂの背面部に固着具例えば木ネジ１４にて固定される固定板部１３ｂとを有するものがある。このような把手１３は、例えばアルミ押出形材により形成されており、その外観形状と金属質の光沢により意匠性の向上が図られている。
【０００３】
ところで、前記把手においては、固定板部１３ｂが扉１０ｂの背面部から突出していて、扉を閉めた時に、その固定板部１３ｂがキャビネット本体の側板４（図９参照）の前端部と干渉するので、これを回避するために、図９に示すように側板４の前端部と干渉する部分の固定板部１３ｂが把手本体１３ａから切断（切除）されている。
【０００４】
【特許文献１】特開２００２−２１３１１１号公報
【発明の開示】
【発明が解決しようとする課題】
【０００５】
しかしながら、前記把手においては、切断面１６に鋭利なバリが発生することから、この鋭利なバリが使用者の手を傷つける恐れがあるだけでなく、キャビネット本体の側板４の前端部に設けられている防虫パッキン３３とも接触して防虫パッキンを破断してしまう恐れがある。このような不具合を防止するために、従来の把手においては、切断面のバリ取り及び研磨仕上げを一つ一つ手作業で行っているのが現状であり、このため、コストの増大を余儀なくされていた。
【０００６】
本発明は、前記事情を考慮してなされたものであり、切断面のバリ取り及び研磨仕上げが不要となり、コストの低減が図れる収納キャビネット用把手を提供することを目的とする。
【課題を解決するための手段】
【０００７】
前期目的を達成するために、本発明は、収納キャビネットの扉の上端部にその長手方向に沿って配置される把手本体と、該把手本体に形成され前記扉の背面部に固着具で固定される固定板部とを有する収納キャビネット用把手であって、前記収納キャビネットの側板前端部と干渉する前記固定板部の干渉部分が切断されており、前記把手本体の両端部にそれぞれ樹脂製の端部キャップを取付け、該端部キャップは、前記固定板部の切断面を覆う覆い部を有していることを特徴とする。
【発明の効果】
【０００８】
請求項１に係る発明によれば、収納キャビネットの扉の上端部にその長手方向に沿って配置される把手本体と、該把手本体に形成され前記扉の背面部に固着具で固定される固定板部とを有する収納キャビネット用把手であって、前記収納キャビネットの側板前端部と干渉する前記固定板部の干渉部分が切断されており、前記把手本体の両端部にそれぞれ樹脂製の端部キャップを取付け、該端部キャップは、前記固定板部の切断面を覆う覆い部を有しているため、切断面のバリ取り及び研磨仕上げが不要となり、コストの低減が図れる。
【発明を実施するための最良の形態】
【０００９】
以下に、本発明を実施するための最良の形態を添付図面に基いて詳述する。図１は本発明をシステムキッチンに適用した実施の形態を概略的に示す正面図、図２は図１のＡ−Ａ線断面図である。
【００１０】
これらの図において、１はシステムキッチンであり、本実施の形態のシステムキッチン１は、複数個例えば少なくとも３個の収納キャビネット２ａ，２ｂ，２ｃを横並びに連結して設置し、これら収納キャビネット２ａ，２ｂ，２ｃ上に跨ってトップカウンター３を載置して構成されている。各収納キャビネット２ａ，２ｂ，２ｃは、例えば右側の収納キャビネット２ａのように左右両側に配置された側板４と、両側板４の下端部間に設けられた底板５と、両側板４の後端部間に設けられた背板６と、両側板４の前端上部間に設けられた横連結材（図示省略）とから主に構成されている。
【００１１】
右側の収納キャビネット２ａは、上段にシンク（流し台）７を収容する収容部８ａを備え、中段及び下段に引き出し状の収納部８ｂ，８ｃを備えている。中央の収納キャビネット２ｂには、上段、中段及び下段に引き出し状の収納部（図示省略）を備えている。左側の収納キャビネット２ｃは、上段に加熱調理器例えばガス台９を収容する収容部を備え、中段及び下段に引き出し状の収納部を備えている（図示省略）。
【００１２】
上記各収納部の前面部は、収納キャビネット２ａ，２ｂ，２ｃの前面開口部を閉塞する扉１０ｂ，１０ｃ，１１ａ，１１ｂ，１１ｃ，１２ｂ，１２ｃになっている。上段収納部の扉１１ａの上端部、中段収納部の扉１０ｂ，１１ｂ，１２ｂの上端部には、それぞれ扉一体型の把手１３が設けられている。右側の収納キャビネット２ａの上段部前面には扉１１ａとデザインを合せるために同材質の幕板１０ｘが取付けられている。幕板１０ｘの上縁部には後述する把手１３’が設けられている。なお、幕板１０ｘは固定されており、開閉しない。上記扉及び幕板は、合板等の板材からなっている。
【００１３】
図３は把手を示す図で、（ａ）は背面側斜視図、（ｂ）は正面側下方から見た斜視図、図４は把手を示す図で、（ａ）は分解背面図、（ｂ）は背面側分解斜視図、図５は把手を示す図で、（ａ）は側面図、（ｂ）は組付け状態の説明図、（ｃ）は組付け状態の背面図である。これらの図に示すように、把手１３は、扉１０ｂの上端部にその長手方向に沿って配置される把手本体１３ａと、該把手本体１３ａに形成され前記扉１０ｂの背面部に固着具例えば木ネジ１４で固定される固定板部１３ｂとを有する収納キャビネット用把手であって、前記収納キャビネット２ａの側板４前端部と干渉する前記固定板部１３ｂの干渉部分が切断されており、前記把手本体１３ａの両端部にそれぞれ合成樹脂製の端部キャップ（サイドキャップともいう）１５を取付け、該端部キャップ１５は、前記固定板部１３ｂの切断面を覆う覆い部１７を有している。
【００１４】
前記把手１３は、例えばアルミ押出形材からなっている。この把手１３を構成する把手本体１３ａは、図７（ａ）に示すように、扉１０ｂの上端面の背面側縁部に下端が当接されて垂直に立上った垂直面部１８と、該垂直面部１８の正面略中間高さ位置から前方斜め下方に曲面状に湾曲して延出され扉１０ｂの上端面の正面側縁部に当接されて垂直面部１８を支持する脚部１９と、前記垂直面部１８の上端部から正面側に延出されて断面Ｌ字状に屈曲形成され下方から手先を入れる下向きの溝（手掛け用溝ともいう）２０を有する手掛け部２１とを備えている。前記脚部１９の先端には扉１０ｂの正面上縁部に係止される係止部１９ａが形成されている。前記垂直面部１８の背面側下縁部には扉１０ｂの背面部に当接される所定の上下幅寸法（２０ｍｍ程度）の固定板部１３ｂが垂直面部１８の長手方向に沿って一体形成されている。固定板部１３ｂは垂直面部１８に対して段違い状に形成されており、扉１０ｂの背面部と垂直面部１８の背面部とが面一であるのに対して固定板部１３ｂはこれらの背面部よりも固定板部１３ｂの厚さ分だけ後方に突出している。
【００１５】
扉１３ｂを閉めた時に前記固定板部１３ｂと収納キャビネット２ａの側板４の前端部とが干渉するのを回避するために、固定板部１３ｂの長手方向両端部がそれぞれ所定の範囲（上下幅２０ｍｍ程度×左右幅４０ｍｍ程度）で切断されている。この場合、切断面１６はそのままであり、バリ取り及び研磨仕上げはなされていない。前記固定板部１３ｂの正面部には幅の広い第１の溝２２が長手方向に沿って形成されており、前記把手本体１３ａの背面部上方には幅の狭い第２の溝２３が長手方向に沿って形成されている。
【００１６】
前記木ネジ１４は皿ネジからなり、前記固定板部１３ｂの左右両端位置にはこれを扉１０ｂに木ネジ１４で固定するためのネジ止め部（孔部）２４が形成されている。この場合、ネジ止め部２４におけるネジ頭部を収容する部分の加工は、皿ざぐり加工ではなく、皿押し加工（プレス）によって形成されており、加工の簡素化が図られている。また、前記第２の溝２３の長手方向両端位置には端部キャップ１５を固定するための小孔部２５が設けられている。
【００１７】
前記端部キャップ１５は、把手本体１３ａの端面（切断面）に当接されてこれを覆うべく該端面に対応する形状例えば断面略コ字状に形成されており、覆い面積の大きい、少なくとも上部の手掛け用溝２０及び第２の溝２３の端を覆う上部覆い部１５ａと、垂直面部１８と脚部１９によって形成された下部の断面略三角形の溝２６の端を覆う下部覆い部１５ｂとを有している。特に、端部キャップ１５は、固定板部１３ｂを切断するための水平切断面１６ａ及び垂直切断面１６ｂを覆う水平覆い部１７ａ及び垂直覆い部１７ｂを有している。
【００１８】
水平覆い部１７ａには、手摺本体１３ａの下部の断面略三角形の溝２６に係合する断面略三角形の係合ブロック２７が一体形成されており、垂直覆い部１７ｂには、第１の溝２２に係合する舌片状の第１の固定片２８が一体形成されている。この第１の固定片２８には前記ネジ止め部２４に対応する箇所に孔部２９が形成されており、第１の固定片２８は扉１０ｂに対して木ネジ１４により固定板部１３ｂと一緒に共締めされるようになっている。
【００１９】
端部キャップ１５には、この上部側を把手本体１３ａに固定するために、前記第２の溝２３に係合する小舌片状の第２の固定片３０が一体形成されており、この第２の固定片３０には前記小孔部２５に嵌合する突起部３０ａが形成されている。また、扉一体型の把手１３においては、図１０に示すように手掛け部２１に側方（端部）から指を引っ掛けて扉の開け閉めを行うという誤った使い方をする場合が希にあり、この場合、隣接する扉の把手１３との間で指を挟んでしまう恐れがある。そこで、このような誤った使い方をしないようにするために、前記端部キャップ１５には上部覆い部１５ａと相俟って側方（端部）から手掛け部２１に指が引っ掛からないようにするために、手掛け用溝２０の端側を所定の範囲（２０ｍｍ程度）で下方から覆う指掛け防止カバー部３１が形成されている。この指掛け防止カバー部３１は、先端側が上方に湾曲されていることが好ましい。
【００２０】
以上の構成からなる収納キャビネット用把手１３によれば、収納キャビネット２ａの扉１０ｂの上端部にその長手方向に沿って配置される把手本体１３ａと、該把手本体１３ａに形成され前記扉１０ｂの背面部に固着具例えば木ネジ１４で固定される固定板部１３ｂとを有する収納キャビネット用把手１３であって、前記収納キャビネット２ａの側板４前端部と干渉する前記固定板部１３ｂの干渉部分が切断されており、前記把手本体１３ａの両端部にそれぞれ樹脂製の端部キャップ１５を取付け、該端部キャップ１５は、前記固定板部１３ｂの切断面１６を覆う覆い部１７を有しているため、切断面１６のバリ取り及び研磨仕上げが不要となり、コストの低減が図れる。また、前記切断面１６すなわち水平切断面１６ａ及び垂直切断面１６ｂを覆う水平覆い部１７ａ及び垂直覆い部１７ｂを有しているため、これら切断面１６ａ，１６ｂの鋭利なバリから手を保護することができると共に、水平切断面１６ａの鋭利なバリから側板４前端部の防虫パッキン３３（図９参照）を保護することができ、防虫パッキンの耐久性の向上が図れる。
【００２１】
また、前記端部キャップ１５には、指掛け防止カバー部３１が形成されているため、誤って手掛け部２１の端部に指を掛けてしまい、扉を閉じて隣り合う扉の把手との間で指を挟んでしまうのを防止することができる。また、端部キャップ１５は、上部の手掛け用溝２０に係合する指掛け防止カバー部３１と、下部の断面略三角形の溝２６に係合する断面略三角形の係合ブロック２７とを有しているため、把手１３の端部に容易に取付けることができる。更に、前記端部キャップ１５においては、水平覆い部１７ａと垂直覆い部１７ｂが連なって形成されている先端側を扉１０ｂと固定板部１３ｂとの間で挟んで木ネジ１４により共締め固定する第１の固定片２８と、端部キャップ１５の上部側から延出され突起部３０ａを把手本体１３ａの小孔部２５に嵌合させて固定する第２の固定片３０とを有しているため、端部キャップ１５を確実に固定することができる。この場合、水平覆い部１７ａには係合ブロック２７が形成され、垂直覆い部１７ｂには前記第１の固定片２８が形成されているため、これら水平覆い部１７ａ及び垂直覆い部１７ｂを強固に固定することができる。
【００２２】
図６は把手の他の例を示す斜視図であり、図７は図６の把手を示す図で、（ａ）は側面図、（ｂ）は組付け状態の説明図、（ｃ）は組付け状態の背面図である。本実施の形態の形態において、前記実施の形態と同一部分は、同一参照符号を付して説明を省略する。本実施の形態の把手１３’は、幕板１０ｘの上端部に取付けられるものであり、開閉を行わないため、手掛け部２１が形成されていない。すなわち、把手１３’を構成する把手本体１３ａの垂直面部１８には上方から前方に延出されると共に上方に逆Ｌ字状に屈曲形成された上部形成片３２が形成されている。
【００２３】
以上、本発明の実施の形態を図面により詳述してきたが、本発明は前記実施の形態に限定されるものではなく、本発明の要旨を逸脱しない範囲での種々の設計変更が可能である。例えば、前記実施の形態では、第１の固定片を木ネジで共締めしているが、第１の固定片は扉と固定板部の間に単に挟持されていてもよい。また、本発明は、システムキッチン以外の収納キャビネットにも適用可能である。
【図面の簡単な説明】
【００２４】
【図１】本発明をシステムキッチンに適用した実施の形態を概略的に示す正面図である。
【図２】図１のＡ−Ａ線断面図である。
【図３】把手を示す図で、（ａ）は背面側斜視図、（ｂ）は正面側下方から見た斜視図である。
【図４】把手を示す図で、（ａ）は分解背面図、（ｂ）は背面側分解斜視図である。
【図５】把手を示す図で、（ａ）は側面図、（ｂ）は組付け状態の説明図、（ｃ）は組付け状態の背面図である。
【図６】把手の他の例を示す斜視図である。
【図７】図６の把手を示す図で、（ａ）は側面図、（ｂ）は組付け状態の説明図、（ｃ）は組付け状態の背面図である。
【図８】従来の把手の一例を示す断面図である。
【図９】把手の取付状態を概略的に示す図で、（ａ）は背面図、（ｂ）は平面図である。
【図１０】把手の端部に指を掛けてしまう不具合を説明する説明図である。
【符号の説明】
【００２５】
２ａ  収納キャビネット
４  側板
１０ｂ  扉
１３  把手
１３ａ  把手本体
１３ｂ  固定板部
１４  木ネジ（固着具）
１５  端部キャップ
１６  切断面
１７  覆い部
【図１】
2008029408.tif 000003
【図２】
2008029408.tif 000004
【図３】
2008029408.tif 000005
【図４】
2008029408.tif 000006
【図５】
2008029408.tif 000007
【図６】
2008029408.tif 000008
【図７】
2008029408.tif 000009
【図８】
2008029408.tif 000010
【図９】
2008029408.tif 000011
【図１０】
2008029408.tif 000012